(57)【要約】【課題】車幅を細くし、操縦性を向上することが可能な自動二輪車の燃料供給装置を提供する。【解決手段】車体フレーム８０の上方に配置される燃料タンク１０と、車体フレーム８０に面した燃料タンク１０の部位に取付座３０を介して燃料タンク１０内に固定される第１の燃料ポンプ２０とを備えた自動二輪車の燃料供給装置に、車両上方から見て、取付座３０の少なくとも一部が車体フレーム８０と重なるように第１の燃料ポンプ２０を配置する。【選択図】図２
0003146505.tif 000002
【実用新案登録請求の範囲】
【請求項１】
車両前後方向に延びる車体フレームと、
該車体フレームの上方に配置される燃料タンクと、
該燃料タンクの底部に取付座を介して取付けられる第１の燃料ポンプとを備え、
該取付座の少なくとも一部は、車幅方向から見て該車体フレームと重なるように配置されたことを特徴とする自動二輪車の燃料供給装置。
【請求項２】
請求項１記載の自動二輪車の燃料供給装置において、
前記車体フレームは車幅方向一対の右フレームと左フレームを含み、
前記第１の燃料ポンプは、車幅方向から見て、該右フレームと左フレームの間に配置されたことを特徴とする自動二輪車の燃料供給装置。
【請求項３】
請求項２記載の自動二輪車の燃料供給装置において、
前記燃料タンクは、
前記右フレームの外側方に配設された右側タンク部と、
前記左フレームの外側方に配設された左側タンク部と、
該右フレームと該左フレームとを跨ぐように該右側タンクと該左側タンクとを連通する連通部とを含むことを特徴とする自動二輪車の燃料供給装置。
【請求項４】
請求項２記載の自動二輪車の燃料供給装置において、
前記第１の燃料ポンプは、前記燃料タンク内に、車両後方、且つ下方に傾斜して配置されたことを特徴とする自動二輪車の燃料供給装置。
【請求項５】
請求項４記載の自動二輪車の燃料供給装置において、
前記第１の燃料ポンプと前記取付座との間に該第１の燃料ポンプを支持するポンプ支持部材が配置されたことを特徴とする自動二輪車の燃料供給装置。
【請求項６】
請求項４記載の自動二輪車の燃料供給装置において、
前記燃料タンクの底部を前記取付座側と、前記第１の燃料ポンプの吸込口が配置される第１の液溜部側とに仕切る仕切板を備えたことを特徴とする自動二輪車の燃料供給装置。
【請求項７】
請求項６記載の自動二輪車の燃料供給装置において、
前記第１の液溜部の底面は前記取付座の底面よりも低い位置に配置されたことを特徴とする自動二輪車の燃料供給装置。
【請求項８】
請求項６記載の自動二輪車の燃料供給装置において、
前記ポンプ支持部材は前記燃料タンクの底部を仕切る前記仕切板を含むことを特徴とする自動二輪車の燃料供給装置。
【請求項９】
請求項６記載の自動二輪車の燃料供給装置において、
前記燃料タンクの底部の前記取付座側には、第２の液溜部が形成され、該第２の液溜部の底面は、前記第１の液溜部の底面よりも低い位置に位置し、該第２の液溜部に溜まった燃料を吸込み、該第１の液溜部に吐出する第２の燃料ポンプを備えることを特徴とする自動二輪車の燃料供給装置。
【請求項１０】
請求項９記載の自動二輪車の燃料供給装置において、
前記第１の燃料ポンプの吸込口にフィルタが接続され、該第１の燃料ポンプの吸込口、および該フィルタが配置されたことを特徴とする自動二輪車の燃料供給装置。
【請求項１１】
請求項９記載の自動二輪車の燃料供給装置において、
前記第２の燃料ポンプは、前記第１の燃料ポンプのインジェクタから還流された余剰燃料の流れにより生じる負圧を利用して、第２の液溜部に溜まった燃料を吸上げるジェットポンプであることを特徴とする自動二輪車の燃料供給装置。
【請求項１２】
請求項９記載の自動二輪車の燃料供給装置において、
前記第２の液溜部は、燃料タンクの前部に形成されたことを特徴とする自動二輪車の燃料供給装置。
【請求項１３】
請求項１記載の自動二輪車の燃料供給装置において、
着座シートを備え、
着座シートは車両側方から見て、前記燃料タンクの上面を覆うように配置されたことを特徴とする自動二輪車の燃料供給装置。
【請求項１４】
請求項１記載の自動二輪車の燃料供給装置において、
前記燃料タンクはエンジンに燃料を供給する燃料供給ポートを備え、
該燃料供給ポートは、前記燃料タンクの底部、且つ側縁部に配置されたことを特徴とする自動二輪車の燃料供給装置。
【請求項１５】
請求項１記載の自動二輪車の燃料供給装置において、
前記燃料供給ポートは、前記車体フレームの右端と左端の間に配置されたことを特徴とする自動二輪車の燃料供給装置。
【請求項１６】
請求項１０記載の自動二輪車の燃料供給装置において、
前記第１の燃料ポンプは、前記燃料タンクの車幅方向略中央に配設され、
前記燃料供給ポートは、該第１の燃料ポンプの配設された位置に対して車幅方向の一方に配置され、
前記フィルタは、該第１の燃料ポンプの配設された位置に対して車幅方向の他方に配置されたことを特徴とする自動二輪車の燃料供給装置。
【請求項１７】
請求項６記載の自動二輪車の燃料供給装置において、
前記第１の液溜部に配置され、前記第１の燃料ポンプの吸込口を有する貯留室を備え、
該貯留室の上面には、該第１の液溜部と該貯留室の内部とを連通する供給孔が形成されたことを特徴とする自動二輪車の燃料供給装置。
【請求項１８】
請求項１７記載の自動二輪車の燃料供給装置において、
前記貯留室は、前記第１の液溜部の最も低い底面に配置されたことを特徴とする自動二輪車の燃料供給装置。
【請求項１９】
請求項１７記載の自動二輪車の燃料供給装置において、
前記第１の燃料ポンプの吸込口には、フィルタが接続され、
該フィルタは貯留室の内部に配置されたことを特徴とする自動二輪車の燃料供給装置。
【請求項２０】
請求項１７記載の自動二輪車の燃料供給装置において、
前記貯留室は、
前記フィルタを収納する収納部と、
該収納部から所定の間隔を形成して該収納部を覆う隔壁を含み、
該隔壁に前記供給孔が形成されたことを特徴とする自動二輪車の燃料供給装置。
【請求項２１】
請求項１７記載の自動二輪車の燃料供給装置において、
前記供給孔が前記上面の中央部に配置されたことを特徴とする自動二輪車の燃料供給装置。
【請求項２２】
請求項１７記載の自動二輪車の燃料供給装置において、
前記貯留室は、前記第１の燃料ポンプのインジェクタから還流された余剰燃料が前記貯留室内に吐出する補助吐出口を有することを特徴とする自動二輪車の燃料供給装置。
【請求項２３】
請求項１７記載の自動二輪車の燃料供給装置において、
前記燃料タンクの底部の前記取付座側には、第２の液溜部が形成され、
該第２の液溜部の底面は、前記第１の液溜部の底面よりも低い位置に位置し、
該第２の液溜部に溜まった燃料を吸込み、前記貯留室内に吐出する第２の燃料ポンプを備えたことを特徴とする自動二輪車の燃料供給装置。
【請求項２４】
車両前後方向に延びる車体フレームと、
該車体フレームの上方に配置される燃料タンクと、
該燃料タンクの底部に取付座を介して取付けられる第１の燃料ポンプとを備え、
車幅方向に対して、取付座は少なくとも一部が該車体フレームと重なるように配置されたことを特徴とする自動二輪車。
【考案の詳細な説明】
【技術分野】
【０００１】
本考案は、自動二輪車のエンジンに燃料を供給する自動二輪車の燃料供給装置に関する。
【背景技術】
【０００２】
この種の自動二輪車の燃料供給装置としては、特許文献１に開示されたものがある。この燃料供給装置は、燃料ポンプの吸入部を燃料タンクの外部に配置しつつ、外部から燃料タンクの最低部に通じる吸出部を燃料タンクの外部に配置し、吸入部と吸出部との間を外部管路で接続するとともに、燃料タンクを車体フレームの前半部を構成する左右一対のフレーム構造材（アッパーパイプ）の上に跨設し、車両前後方向視で燃料ポンプを左右のフレーム構造材の間に位置するように燃料タンクの底面に設置するとともに、燃料ポンプの下部を底面より下方に突出させ、この突出部に吸入部を設けることで、燃料タンクの無効残量を減少させ、燃料タンク回りのデザイン性とレイアウト性を向上させるとともに、燃料タンクの容量を拡大するものである。
【特許文献１】特開２００２−２９３２８１号公報
【考案の開示】
【考案が解決しようとする課題】
【０００３】
このような従来の燃料供給装置では、吸入部が燃料タンクから突出するように燃料タンクの外部に配置されているため、燃料タンク部分の車幅を細くすることが困難である。
【０００４】
一方、乗員がスタンディング状態で乗車することが頻繁に行なわれる車両では、操縦性を向上させるために、燃料タンク周辺の車幅を細くすることが不可欠である。
【０００５】
そこで、本考案は、車幅を細くし、操縦性を向上することが可能な自動二輪車の燃料供給装置を提供することを目的とする。
【課題を解決するための手段】
【０００６】
上記目的を達成する請求項１の考案は、車両前後方向に延びる車体フレームと、該車体フレームの上方に配置される燃料タンクと、該燃料タンクの底部に取付座を介して取付けられる第１の燃料ポンプとを備え、該取付座の少なくとも一部は、車幅方向から見て該車体フレームと重なるように配置されたことを特徴とする自動二輪車の燃料供給装置である。
【０００７】
請求項２の考案は、請求項１記載の自動二輪車の燃料供給装置において、前記車体フレームは車幅方向一対の右フレームと左フレームを含み、前記第１の燃料ポンプは、車幅方向から見て、該右フレームと左フレームの間に配置されたことを特徴とする自動二輪車の燃料供給装置である。
【０００８】
請求項３の考案は、請求項２記載の自動二輪車の燃料供給装置において、前記燃料タンクは、前記右フレームの外側方に配設された右側タンク部と、前記左フレームの外側方に配設された左側タンク部と、該右フレームと該左フレームとを跨ぐように該右側タンクと該左側タンクとを連通する連通部とを含むことを特徴とする自動二輪車の燃料供給装置である。
【０００９】
請求項４の考案は、請求項２記載の自動二輪車の燃料供給装置において、前記第１の燃料ポンプは、前記燃料タンク内に、車両後方、且つ下方に傾斜して配置されたことを特徴とする自動二輪車の燃料供給装置である。
【００１０】
請求項５の考案は、請求項４記載の自動二輪車の燃料供給装置において、前記第１の燃料ポンプと前記取付座との間に該第１の燃料ポンプを支持するポンプ支持部材が配置されたことを特徴とする自動二輪車の燃料供給装置である。
【００１１】
請求項６の考案は、請求項４記載の自動二輪車の燃料供給装置において、前記燃料タンクの底部を前記取付座側と、前記第１の燃料ポンプの吸込口が配置される第１の液溜部側とに仕切る仕切板を備えたことを特徴とする自動二輪車の燃料供給装置である。
【００１２】
請求項７の考案は、請求項６記載の自動二輪車の燃料供給装置において、前記第１の液溜部の底面は前記取付座の底面よりも低い位置に配置されたことを特徴とする自動二輪車の燃料供給装置である。
【００１３】
請求項８の考案は、請求項６記載の自動二輪車の燃料供給装置において、前記ポンプ支持部材は前記燃料タンクの底部を仕切る前記仕切板を含むことを特徴とする自動二輪車の燃料供給装置である。
【００１４】
請求項９の考案は、請求項６記載の自動二輪車の燃料供給装置において、前記燃料タンクの底部の前記取付座側には、第２の液溜部が形成され、該第２の液溜部の底面は、前記第１の液溜部の底面よりも低い位置に位置し、該第２の液溜部に溜まった燃料を吸込み、該第１の液溜部に吐出する第２の燃料ポンプを備えることを特徴とする自動二輪車の燃料供給装置である。
【００１５】
請求項１０の考案は、請求項９記載の自動二輪車の燃料供給装置において、前記第１の燃料ポンプの吸込口にフィルタが接続され、該第１の燃料ポンプの吸込口、および該フィルタが配置されたことを特徴とする自動二輪車の燃料供給装置である。
【００１６】
請求項１１の考案は、請求項９記載の自動二輪車の燃料供給装置において、前記第２の燃料ポンプは、前記第１の燃料ポンプのインジェクタから還流された余剰燃料の流れにより生じる負圧を利用して、第２の液溜部に溜まった燃料を吸上げるジェットポンプであることを特徴とする自動二輪車の燃料供給装置である。
【００１７】
請求項１２の考案は、請求項９記載の自動二輪車の燃料供給装置において、前記第２の液溜部は、燃料タンクの前部に形成されたことを特徴とする自動二輪車の燃料供給装置である。
【００１８】
請求項１３の考案は、請求項１記載の自動二輪車の燃料供給装置において、着座シートを備え、着座シートは車両側方から見て、前記燃料タンクの上面を覆うように配置されたことを特徴とする自動二輪車の燃料供給装置である。
【００１９】
請求項１４の考案は、請求項１記載の自動二輪車の燃料供給装置において、前記燃料タンクはエンジンに燃料を供給する燃料供給ポートを備え、該燃料供給ポートは、前記燃料タンクの底部、且つ側縁部に配置されたことを特徴とする自動二輪車の燃料供給装置である。
【００２０】
請求項１５の考案は、請求項１記載の自動二輪車の燃料供給装置において、前記燃料供給ポートは、前記車体フレームの右端と左端の間に配置されたことを特徴とする自動二輪車の燃料供給装置である。
【００２１】
請求項１６の考案は、請求項１０記載の自動二輪車の燃料供給装置において、前記第１の燃料ポンプは、前記燃料タンクの車幅方向略中央に配設され、前記燃料供給ポートは、該第１の燃料ポンプの配設された位置に対して車幅方向の一方に配置され、前記フィルタは、該第１の燃料ポンプの配設された位置に対して車幅方向の他方に配置されたことを特徴とする自動二輪車の燃料供給装置である。
【００２２】
請求項１７の考案は、請求項６記載の自動二輪車の燃料供給装置において、前記第１の液溜部に配置され、前記第１の燃料ポンプの吸込口を有する貯留室を備え、該貯留室の上面には、該第１の液溜部と該貯留室の内部とを連通する供給孔が形成されたことを特徴とする自動二輪車の燃料供給装置である。
【００２３】
請求項１８の考案は、請求項１７記載の自動二輪車の燃料供給装置において、前記貯留室は、前記第１の液溜部の最も低い底面に配置されたことを特徴とする自動二輪車の燃料供給装置である。
【００２４】
請求項１９の考案は、請求項１７記載の自動二輪車の燃料供給装置において、前記第１の燃料ポンプの吸込口には、フィルタが接続され、該フィルタは貯留室の内部に配置されたことを特徴とする自動二輪車の燃料供給装置である。
【００２５】
請求項２０の考案は、請求項１７記載の自動二輪車の燃料供給装置において、前記貯留室は、前記フィルタを収納する収納部と、該収納部から所定の間隔を形成して該収納部を覆う隔壁を含み、該隔壁に前記供給孔が形成されたことを特徴とする自動二輪車の燃料供給装置である。
【００２６】
請求項２１の考案は、請求項１７記載の自動二輪車の燃料供給装置において、前記供給孔が前記上面の中央部に配置されたことを特徴とする自動二輪車の燃料供給装置である。
【００２７】
請求項２２の考案は、請求項１７記載の自動二輪車の燃料供給装置において、前記貯留室は、前記第１の燃料ポンプのインジェクタから還流された余剰燃料が前記貯留室内に吐出する補助吐出口を有することを特徴とする自動二輪車の燃料供給装置である。
【００２８】
請求項２３の考案は、請求項１７記載の自動二輪車の燃料供給装置において、前記燃料タンクの底部の前記取付座側には、第２の液溜部が形成され、該第２の液溜部の底面は、前記第１の液溜部の底面よりも低い位置に位置し、該第２の液溜部に溜まった燃料を吸込み、前記貯留室内に吐出する第２の燃料ポンプを備えたことを特徴とする自動二輪車の燃料供給装置である。
【００２９】
請求項２４の考案は、車両前後方向に延びる車体フレームと、該車体フレームの上方に配置される燃料タンクと、該燃料タンクの底部に取付座を介して取付けられる第１の燃料ポンプとを備え、車幅方向に対して、取付座は少なくとも一部が該車体フレームと重なるように配置されたことを特徴とする自動二輪車である。
【考案の効果】
【００３０】
本願考案によれば、車両上方から見て、取付座の少なくとも一部が車体フレームと重なるように燃料ポンプを配置することにより、車幅を細くし、車両操縦性を向上することができる。
【考案を実施するための最良の形態】
【００３１】
以下、本考案の一実施形態を図面に基づいて説明する。図１〜図４は本考案の一実施形態を示し、図１は車両に搭載した状態の燃料供給装置を示す側面図、図２は車両に搭載した状態の燃料供給装置を示す上面図、図３は燃料供給装置を示す側面図、図４は図３に示すＡ−Ａ線に沿った断面図、図５は図２に示すＢ−Ｂ線に沿った断面図、図６は図３に示す矢視Ｃから見たポンプ支持部材の平面図である。
【００３２】
本実施形態の自動二輪車の燃料供給装置１は、図１に示すように、いわゆるモトクロスバイクと呼ばれる車両７０の燃料供給装置に適用したものである。本実施形態の燃料供給装置１は、液状の燃料を貯留する燃料タンク１０と、燃料タンク１０内の燃料を吸込み、加圧しつつエンジン７１に供給する第１の燃料ポンプ２０とから主に構成されている。
【００３３】
本実施形態の燃料供給装置１が搭載される車両７０の車体フレーム８０は、セミダブルクレドール形状を有し、図１、図２に示すように、車体フレーム８０の前端にはヘッドパイプ８１が位置し、ヘッドパイプ８１の上端部にアッパーフレーム８２が、ヘッドパイプ８１の下端にアンダーフレーム８３がそれぞれ設けられている。
【００３４】
アッパーフレーム８２は、パイプ材で構成されており、ヘッドパイプ８１に固定されるアッパーベースフレーム８２ａから車幅方向に右フレーム８２Ｒと左フレーム８２Ｌに分岐する略Ｙ字形状を備えるとともに、ヘッドパイプ８１から車両後方、且つ下方に向って形成されている。そして、右フレーム８２Ｒと左フレーム８２Ｌはそれぞれの下端部でアンダーフレーム８３と連結している。また、車体フレーム８０を構成する梯子状のシートレール８４が、右フレーム８２Ｒと左フレーム８２Ｌから車両後方に向って延設され、乗員が着座する着座シート７２が固定されている。
【００３５】
燃料タンク１０は、鞍型形状を有し、車体フレーム８０上に配置されている。燃料タンク１０の前部は、アッパーベースフレーム８２ａ上を跨ぐように右前タンク部１１Ｒと左前タンク部１１Ｌに分れ、燃料タンク１０上部に位置する連通部１１ａで連通している。また、燃料タンク１０の後部は、燃料タンク１０の前部と連通しているとともに、右フレーム８２Ｒと左フレーム８２Ｌの上に配置されている。さらに、燃料タンク１０の前部は、下方に向って拡張され、車両上方、および側方から見て、前端部から後端部に向って細くなるように成形されている。なお、燃料タンク１０は、前端部に設けられた前固定部１２によってアッパーベースフレーム８２ａに固定されるとともに、後端部に設けられた後固定部（図示せず）によってシートレール８４に固定されている。
【００３６】
燃料タンク１０からエンジン７１へ燃料を供給するための燃料供給ポート１３は、燃料タンクの底部、且つ側縁部に位置しつつ、車体フレーム８０の車幅方向内側に配置されており、さらに本実施形態では、駐車時に車両を支えるサイドスタンドが配置される燃料タンク１０の左側に配置されている。そして、燃料供給ポート１３のタンク外接続部（図示せず）とインジェクタ７３とを高圧ホースで連通することにより、燃料タンク１０からエンジン７１に燃料を供給する。
【００３７】
なお、着座シート７２は、その前端部分が燃料タンクの上面に重なり、覆うように形成されている。
【００３８】
第１の燃料ポンプ２０は、略円柱形状を有し、先端側に燃料ポンプの吸込口である主吸込口２１が、基端側に燃料ポンプの吐出口である主吐出口２２がそれぞれ配置され、基端部側が取付座３０を介して燃料タンク１０内に固定されている。取付座３０は、環状の座面に燃料タンク１０内部側に複数の袋ナット３１が設けられ、ボルト３２で燃料タンク１０に固定されている。
【００３９】
第１の燃料ポンプ２０は、燃料経路は取付座３０を貫通せず、第１の燃料ポンプ２０を制御するためのワイヤハーネスのみが取付座３０を貫通するように構成され、取付座３０から燃料タンク１０外側への突出部分が小さくなるように形成されている。さらに、取付座３０が組付けられる燃料タンク１０の部位には、燃料タンク１０内部側に窪んだ取付凹部１４が形成されており、第１の燃料ポンプ２０を組付けた状態で、取付座３０が組付けられた部分の車体フレーム８０側への突出を防止している。取付座３０の一部が、車両上方から見て、右フレーム８２Ｒと左フレーム８２Ｌに重なり、且つ第１の燃料ポンプ２０が右フレームと左フレームの間に位置するように配置されている。
【００４０】
第１の燃料ポンプ２０は、先端側が車両後方に向ってほぼ平行に突出するように燃料タンク内に配置されており、燃料タンク底面となる取付座３０と第１の燃料ポンプ２０との間にはポンプ支持部材４０が配置されている。ポンプ支持部材４０は、装着部４１と仕切板としての支持仕切壁部４２とから構成され、装着部４１を袋ナット３１に被せることで、支持仕切壁部４２が第１の燃料ポンプ２０と取付座３０との間に狭持され、脱落しない構成となっている。また、支持仕切壁部４２は、燃料タンク１０の側壁まで延設されることで、燃料タンク１０の底部を前方と後方を仕切り、燃料タンク１０底部後方、且つ取付座３０の底面３０ａよりも低い位置にその底面１５ａが位置するように第１の液溜部１５を形成している。そして、主吸込口２１には、フィルタ２３が設けられ、第１の液溜部１５から燃料を吸込むように配置されている。主吐出口２２は、タンク内高圧ホース６１を介して、燃料供給ポート１３のタンク内接続部１３ａに接続されている。
【００４１】
本実施形態の燃料供給装置１には、第１の燃料ポンプ２０が吸上げた燃料によるエゼクタ効果を利用した第２の燃料ポンプであるジェットポンプ５０が設けられている。つまり、第１の燃料ポンプ２０によって加速された燃料の流れの周囲には負圧が発生し、この発生した負圧を利用してジェットポンプ５０の吸込口である補助吸込口５１から燃料を吸上げ、ジェットポンプ５０の吐出口である補助吐出口５２が配置された第１の液溜部１５に燃料を吐出する。なお、補助吸込口５１は燃料タンク１０の第２液溜部として燃料タンク１０底部の取付座３０側に位置し、右前タンク部１１Ｒと左前タンク部１１Ｌのそれぞれ下端部に拡張して形成された最下部１６の底面１６ａに配置されている。
【００４２】
燃料の供給経路は、まず、第１の燃料ポンプ２０が稼働すると、第１の液溜部１５内に溜った燃料を主吸込口２１が吸込んで燃料を昇圧し、タンク内高圧ホース６１、燃料供給ポート１３、高圧ホース６２を通じてインジェクタ７３に燃料を供給する。
【００４３】
また、本実施形態の第１の燃料ポンプ２０は、エンジン７１の最大燃料消費量に対応した燃料吐出量で常に稼働している。したがって、通常の車両運転状態では、過剰な燃料供給量であるため、プレッシャレギュレータ（図示せず）で、余剰燃料は、余剰燃料経路を通じて第１の液溜部１５に還流される。このとき、余剰燃料をジェットポンプ５０に供給し、余剰燃料が管路内を流通する際に余剰燃料の周囲に発生する負圧によって第２の液溜部である燃料タンク１０の最下部１６から燃料を第１の液溜部１５に吸上げる。
【００４４】
なお、第１の燃料ポンプ２０でエンジン７１に燃料を供給する際には、インジェクタ７３からの燃料噴射量に影響するため、キャビテーションの発生を防止しなければならず、第１の燃料ポンプ２０が燃料を吸上げる吸上げ落差に注意しなければならない。一方、燃料タンク１０の最下部から第１の液溜部１５に燃料を吸上げる際にはキャビテーションが発生してもインジェクタ７３の燃料噴射量には影響しないため、ジェットポンプ５０で十分に機能を満足する。
【００４５】
上記構成において、取付座３０の少なくとも一部が車体フレーム８０と重なるように第１の燃料ポンプ２０が燃料タンク１０に配置されたことにより、車幅方向の寸法を小さくすることができる。
【００４６】
第１の燃料ポンプ２０が右フレーム８２Ｒと左フレーム８２Ｌの間に位置するように配置されたことにより、車両７０が転倒した際にも第１の燃料ポンプ２０が右フレーム８２Ｒと左フレーム８２Ｌによって保護される。
【００４７】
第１の燃料ポンプ２０が車両後方に向って突出するように燃料タンク１０内に配置されたことにより、燃料タンク１０の上下方向の寸法を小さくできる。これにより、乗員が乗車中に燃料タンク１０上部への体重移動が容易になり、操縦性が向上する。また、第１の燃料ポンプ２０が燃料を吸上げる際の吸上げ落差を小さくすることができるので、キャビテーションの発生を防止ししつつ、第１の燃料ポンプ２０を小型化することができる。
【００４８】
第１の燃料ポンプ２０がポンプ支持部材４０によって支持されたことにより、車両７０が段差を乗越えた際に第１の燃料ポンプ２０に伝わる衝撃が緩和される。これにより、第１の燃料ポンプ２０の取付座３０を小さくすることが可能になり、車幅方向の寸法を小さくすることができる。
【００４９】
ポンプ支持部材４０を構成する仕切板としての支持仕切壁部４２が燃料タンク１０の底部を仕切って取付座３０の底面３０ａよりも低い位置に第１の液溜部１５の底面１５ａを形成し、主吸込口２１が第１の液溜部１５に配置されたことにより、走行中に燃料タンク１０内で燃料の液面が揺れて安定しない状態でも第１の燃料ポンプ２０が燃料を安定して吸込むことができる。
【００５０】
第１の燃料ポンプ２０が吸上げた燃料によるエゼクタ効果を利用したジェットポンプ５０を備え、補助吸込口５１が燃料タンク１０の最下部に、補助吐出口５２が第１の液溜部１５に配置されたことにより、第１の燃料ポンプ２０で直接吸上げた場合にはキャビテーションが発生し、安定して吸上げることが困難である。そこで、燃料タンク１０の最下部１６位置にある燃料をジェットポンプ５０によって一旦第１の液溜部１５に吸上げ、第１の液溜部１５から第１の燃料ポンプ２０が燃料を吸込むようにする。燃料タンク１０の底部形状を操縦に適した形状にすることができ、車両操縦性を向上させることができる。
【００５１】
燃料タンク１０の前部が下方に向って膨出されたことにより、タンク容量を十分に確保しつつ、タンク高を下げることができるので、乗員が乗車中に燃料タンク上部への体重移動が容易になり、操縦性が向上する。
【００５２】
着座シート７２が燃料タンク１０の上面に重なるように形成されたことにより、乗員が乗車中に燃料タンク１０上部への体重移動が容易になり、操縦性が向上する。
【００５３】
燃料供給ポート１３が、燃料タンク１０の底部、且つ側縁部に位置しつつ、車両上方から見て車体フレーム８０の内側に配置されたことにより、車両７０に燃料タンク１０を着脱する際の作業性が向上するとともに、車両が転倒した際にも車体フレーム８０によって燃料供給ポート１３が保護される。
【００５４】
なお、本実施形態では、燃料タンク１０の取付座３０が組付けられた部分が車体フレーム８０側への突出することを防止したことで、取付座３０が車体フレーム８０と重なる領域を増やしている。
【００５５】
また、本実施形態では、第１の燃料ポンプ２０が停止している状態では燃料の流出が防止されるため、燃料供給ポートに流路開閉手段を設けていないが、流路開閉手段として燃料コックを設けることで、燃料タンク１０を着脱する際に燃料の漏出をさらに防止することができる。
【００５６】
次に、本考案の上記一本実施形態の別態様を図面に基づいて説明する。図７〜図９は上記一実施形態の別態様を示し、図７は車両に搭載した状態の燃料供給装置を示す上面図、図８は燃料供給装置を示す側面図、図９は図７に示すＤ−Ｄ線に沿った断面図である。
【００５７】
上記実施形態と本態様との大きく異なる点は、第１の燃料ポンプ２０の主吸込口２１部分の構成である。上記一実施形態では、主吸込口２１にフィルタ２３が接続されているが、本態様では、主吸込口２１に貯留室９０が形成されている。他の構成は、上記一実施形態と同一であるため、重複説明を回避するべく説明を省略する。また、図面の同一構成箇所には同一符号を付して明確化を図る。
【００５８】
貯留室９０は、第１の液溜部１５の最も低い底面１５ｂに設置されている。貯留室９０は、所定の内部容積として、貯留室９０内の燃料のみを使用した場合でも、少なくとも数秒間はエンジン７１を稼働し続けることができるだけの内部容積を確保するように隔壁９１によって形成されている。また、貯留室９０内には、隔壁９１と所定の間隔を空けて収納部９３が形成され、この収納部９３にフィルタ２３が充填されている。
【００５９】
貯留室９０上面の中央部には、第１の液溜部１５と内部とを連通する供給孔９２が設けられている。貯留室９０の車両中心側の側面には、第１の燃料ポンプ２０の主吸込口２１が接続されている。
【００６０】
貯留室９０後面には、補助吐出口５２ａが接続されている。第１の燃料ポンプ２０のインジェクタから還流された余剰燃料が補助吐出口５２ａから貯留室９０内に吐出されるとともに、ジェットポンプ５０によって吸上げられた最下部の燃料が補助吐出口５２ａから貯留室９０内に吐出されるように構成されている。
【００６１】
貯留室９０内に吐出される燃料が主吸込口２１から吸込まれる燃料よりも多い場合には、上面の供給孔９２から第１の液溜部１５へ排出される。また、補助吐出口５２ａから吐出される燃料が主吸込口２１から吸込まれる燃料よりも少ない場合には、供給孔９２を通じて第１の液溜部１５から燃料が貯留室９０へ供給される。
【００６２】
インジェクタを使用して吸入空気に燃料を噴霧する従来からの構成では、フロート室に相当する物がないため、燃料タンク１０内の燃料が少なくなり、走行中に車両の姿勢が変化した場合には、燃料タンク１０内の液面の位置が変化し、主吸込口２１から燃料を吸込むことができない状態が発生する。そして、このような状態では、燃料が供給されず、エンジン７１が停止してしまう問題があった。
【００６３】
しかしながら、上記別態様に示すように、貯留室９０を備え、燃料を貯留室９０から吸込む構成としたことにより、車両の姿勢に影響されることなくエンジン７１を稼働し続けることができる。
【００６４】
また、供給孔９２が貯留室９０上面の中央部に配置されたことにより、車両の姿勢に影響されることなく貯留室９０内に燃料を常に満たすことができる。
【００６５】
還流された燃料が貯留室９０に直接供給されることにより、車両の姿勢に影響されることなく貯留室９０内に燃料を常に満たすことができる。
【００６６】
最下部１６に溜まった燃料を吸込み、貯留室９０内に吐出するようにジェットポンプ５０を配置したことにより、貯留室９０に直接供給される燃料が増加し、車両の姿勢による影響をさらに小さくすることができる。
【００６７】
なお、第１の液溜部１５の最も低い底面１５ｂの部位に貯留室９０を嵌込めるように燃料タンク１０の形状を成形し、配置することで、第１の液溜部１５内の燃料を無駄なく供給孔９２を通じて貯留室９０内に供給することもできる。
【図面の簡単な説明】
【００６８】
【図１】本実施形態の燃料供給装置の車両に搭載した状態を示す側面図である。
【図２】本実施形態の燃料供給装置の車両に搭載した状態を示す上面図である。
【図３】本実施形態の燃料供給装置を示す側面図である。
【図４】図３に示すＡ−Ａ線に沿った断面図である。
【図５】図２に示すＢ−Ｂ線に沿った断面図である。
【図６】図３に示す矢視Ｃから見たポンプ支持部材の平面図である。
【図７】別態様の燃料供給装置の車両に搭載した状態を示す上面図である。
【図８】別態様の燃料供給装置を示す側面図である。
【図９】図７に示すＤ−Ｄ線に沿った断面図である。
【符号の説明】
【００６９】
１…自動二輪車の燃料供給装置
１０…燃料タンク
１１ａ…連通部
１１Ｒ…右側タンク部
１１Ｌ…左側タンク部
１３…燃料供給ポート
１５…第１の液溜部
１５ａ…第１の液溜部の底面
１５ｂ…第１の液溜部の最も低い底面
１６…第２の液溜部（最下部）
１６ａ…第２の液溜部の底面
２０…燃料ポンプ（第１の燃料ポンプ）
２１…主吸込口（第１の燃料ポンプの吸込口）
２３…フィルタ
３０…取付座
３０ａ…取付座の底面
４０…ポンプ支持部材
４２…支持仕切壁部（仕切板）
５０…ジェットポンプ（第２の燃料ポンプ）
７１…エンジン
７２…着座シート
７３…インジェクタ
８０…車体フレーム
８２Ｌ…左フレーム
８２Ｒ…右フレーム
９０…貯留室
９１…隔壁
９２…供給孔
９３…収納部
【図１】
0003146505.tif 000003
【図２】
0003146505.tif 000004
【図３】
0003146505.tif 000005
【図４】
0003146505.tif 000006
【図５】
0003146505.tif 000007
【図６】
0003146505.tif 000008
【図７】
0003146505.tif 000009
【図８】
0003146505.tif 000010
【図９】
0003146505.tif 000011